(57)【要約】【課題】管腔内インプラントを配置すること。【解決手段】ハイポチューブからプルワイヤを後退させるためのシステム、装置、及び方法は、その近位端上に係合隆起部を有するプルワイヤを装置のチャネル内に位置決めすることと、装置のグリッパを近位方向に移動させて隆起部を係合及び摺動させることにより装置のチャネルを通してプルワイヤを近位方向に摺動させることと、を含むことができる。続くグリッパの遠位移動は、プルワイヤの位置を乱すことなく、又はプルワイヤを遠位方向に移動させることなく、グリッパを隆起部と係合解除させることができる。【選択図】図１
2020022757.tif 000002
【特許請求の範囲】
【請求項１】
インプラントを配置するためのシステムであって、
ハイポチューブであって、前記ハイポチューブを通る管腔、及び近位端を備える、ハイポチューブと、
前記管腔内に位置決めされ、前記ハイポチューブの前記近位端の近位を延伸するプルワイヤであって、近位端及び外周を備える、プルワイヤと、
前記プルワイヤ上で前記プルワイヤの前記近位端に近接して位置決めされ、前記プルワイヤの前記外周を越えて延伸する係合隆起部と、
前記係合隆起部を摺動可能に受容するように寸法決めされた溝と、
遠位方向及び近位方向に移動可能なグリッパであって、前記グリッパは前記近位方向に移動すると前記係合隆起部と係合し、前記遠位方向に移動すると前記係合隆起部と係合解除する、グリッパと、
を備える、システム。
【請求項２】
前記グリッパの前記近位方向への移動は、前記係合隆起部のみを係合させる、請求項１に記載のシステム。
【請求項３】
前記グリッパと前記プルワイヤの前記外周との間に維持される空間を更に備える、請求項１に記載のシステム。
【請求項４】
前記係合隆起部は、前記グリッパの前記近位方向への第１の移動の際に、前記溝の第１の長さにわたって前記近位方向に摺動し、
前記係合隆起部は、前記グリッパの前記遠位方向への第２の移動の際に、前記溝に対して静止したままであり、
前記係合隆起部は、前記グリッパの前記近位方向への第３の移動の際に、前記溝の第２の長さにわたって前記近位方向に摺動する、
請求項１に記載のシステム。
【請求項５】
軌道を更に備え、それを通って前記グリッパが移動可能であり、前記軌道が、
前記チャネルに平行に位置決めされた平行セグメントと、
前記平行セグメントの遠位に位置決めされて、少なくとも横方向に前記チャネルから遠ざかるように延伸する延伸セグメントと、
を備える、請求項１に記載のシステム。
【請求項６】
前記グリッパは、前記グリッパが前記近位方向に移動すると、前記プルワイヤを前記ハイポチューブの前記近位端から近位に延伸させ、前記プルワイヤは、前記グリッパが前記遠位方向に移動すると、前記ハイポチューブに対して静止したままである、請求項１に記載のシステム。
【請求項７】
前記溝は、前記ハイポチューブの前記近位端に係合し、前記ハイポチューブが前記溝に対して近位移動するのを防止する遠位端を更に備える、請求項１に記載のシステム。
【請求項８】
前記溝は、前記係合隆起部の横方向の移動を阻止するように寸法決めされている、請求項１に記載のシステム。
【請求項９】
前記グリッパに前記遠位方向のバネ力を加えるバネを更に備える、請求項１に記載のシステム。
【請求項１０】
それぞれ前記遠位方向及び前記近位方向に移動可能な第１及び第２のグリッパを更に備え、それぞれが前記近位方向に移動すると前記係合隆起部と係合し、前記遠位方向に移動すると前記係合隆起部と係合解除する、請求項１に記載のシステム。
【請求項１１】
前記第１及び第２のグリッパは、前記近位方向及び前記遠位方向に同時移動するために接合されている、請求項１０に記載のシステム。
【請求項１２】
前記グリッパは横方向に移動可能であり、前記グリッパの前記近位方向への移動は、前記プルワイヤに近づく第１の横方向移動をもたらし、前記グリッパの前記遠位方向への移動は、前記プルワイヤから後退する第２の横方向移動をもたらす、請求項１に記載のシステム。
【請求項１３】
ハイポチューブからプルワイヤを後退させるための装置であって、
プルワイヤを摺動可能に受容するためのチャネルと、ハイポチューブの近位端と係合するための遠位面と、を備える、レセプタクルと、
前記プルワイヤの延伸部分と係合するように前記チャネルの近くに位置決めされる係合面を備える、前記チャネルに平行に近位方向及び遠位方向に移動可能な、前記レセプタクルに連結されたリトラクタと、を備え、
前記リトラクタの近位移動は、前記ハイポチューブの前記近位端から前記プルワイヤを引き抜いて、前記プルワイヤを前記チャネル内に延伸させ、続く前記リトラクタの遠位移動は、前記プルワイヤが前記ハイポチューブに対して静止したままであるように、前記プルワイヤの前記延伸部分を係合解除させる、
装置。
【請求項１４】
前記チャネルに平行に位置決めされた平行セグメントを備える軌道を更に備え、前記リトラクタは前記軌道に連結され、前記平行セグメントは前記リトラクタの横方向の移動を阻止する、請求項１３に記載の装置。
【請求項１５】
前記軌道は、前記平行セグメントの遠位に位置決めされ、前記チャネルから遠ざかるように延伸する延伸セグメントを更に備え、
前記リトラクタは、前記軌道の前記延伸セグメント内で少なくとも横方向に移動可能である、
請求項１４に記載の装置。
【請求項１６】
第１の軌道内で移動可能な第１のリトラクタ及び第２の軌道内で移動可能な第２のリトラクタを更に備え、前記第１及び第２の軌道は、前記チャネルの長さによって画定される軸を中心に互いの鏡像として形状決めされ、前記第１及び第２のリトラクタは、同時移動のために連結されている、請求項１５に記載の装置。
【請求項１７】
前記リトラクタに前記遠位方向のバネ力を加えるバネを更に備える、請求項１３に記載の装置。
【請求項１８】
インプラント送達システムを操作する方法であって、
プルワイヤ及びハイポチューブを備える埋め込み装置を提供する工程と、
前記プルワイヤ上の前記プルワイヤの近位端付近に係合隆起部を位置決めする工程と、
チャネル及びグリッパを備える後退装置を提供する工程と、
前記プルワイヤを前記チャネル内に位置決めする工程と、
前記ハイポチューブの近位端を前記後退装置の遠位面と係合させる工程と、
前記グリッパを移動させて前記係合隆起部と係合させる工程と、
前記チャネルを通して前記グリッパ及び前記係合された係合隆起部を近位に引くことにより、前記プルワイヤを前記ハイポチューブの前記近位端から近位に後退させる工程と、
前記グリッパを遠位に移動させて前記係合隆起部と係合解除させる工程と、
前記グリッパの遠位への前記移動に応答して、前記チャネルに対して前記プルワイヤの静止位置を維持する工程と、
を含む、方法。
【請求項１９】
前記チャネルに平行に位置決めされた平行軌道セグメントを提供する工程と、
前記グリッパを前記平行軌道セグメントに連結する工程と、
前記平行軌道セグメントを通して前記グリッパを前記チャネルと平行に移動させる工程と、
前記平行軌道セグメントの連結によって前記グリッパの横方向の移動を阻止する工程と、
を更に含む、請求項１８に記載の方法。
【請求項２０】
前記後退装置は前記グリッパ及び第２のグリッパを備え、前記方法は、前記チャネルの両側に前記グリッパを位置決めする工程と、同時移動するために前記グリッパを互いに連結する工程と、を更に含む、請求項１８に記載の方法。
【発明の詳細な説明】
【技術分野】
【０００１】
本発明は、広義には医療機器に関し、より具体的には管腔内インプラントを配置することに関する。
【背景技術】
【０００２】
多数の血管内インプラント装置が、当該分野において周知されている。多くは、送達のために１つ以上のカテーテルとワイヤとを組み合わせるシステムを介して機械的に配置される。機械的に送達され得るインプラントの例としては、塞栓要素、ステント、移植片、薬物送達インプラントなどが挙げられる。いくつかの分娩及び胃腸インプラントもまた、１つ以上のカテーテルとワイヤとを組み合わせる同様のシステムを介してインプラントされ得る。機械的手段によって解放又は配置され得る装置は、設計が大きく異なるが、同様の送達カテーテル及びワイヤシステムを用いることができる。多くのこうしたカテーテルベースの送達システムは、装置の解放時間までカテーテル内にインプラントを保持するためのワイヤを含む。これらのシステムは、続いてワイヤをカテーテルに対して後退させるか又は引くことによって作動される。こうしたワイヤは本明細書では「プルワイヤ」と称される。
【０００３】
インプラントの正確な配置は、血管及び管腔異常の成功的治療のために極めて重要である。一部の用途では、プルワイヤが近位に引かれ、続いて遠位に押されると問題が生じ得る。
【発明の概要】
【発明が解決しようとする課題】
【０００４】
本発明の目的は、こうした用途における問題を低減するためのシステム、デバイス、及び方法を提供することである。
【課題を解決するための手段】
【０００５】
本明細書では、上記の必要性に対処することができる、本発明の様々な例示的なシステム、装置、及び方法を開示する。一般に、実施例は、ハイポチューブの近位端から延伸するプルワイヤを有する埋め込み装置を含むことができ、プルワイヤは、プルワイヤの近位端付近に係合隆起部又は延伸部分を有することができる。実施例は、概して、ハイポチューブからプルワイヤを後退させるための装置を追加的に又は代替的に含むことができる。後退装置は、プルワイヤ及び係合隆起部が位置決めされ得るチャネル又は溝と、プルワイヤの係合隆起部と係合するように移動させることができる可動グリッパ又はリトラクタを有することができる。いったん係合隆起部が係合されると、グリッパが続いて近位に移動された場合、グリッパは、チャネルを通してプルワイヤを近位に引くことができ、又はグリッパが続いて遠位に移動された場合、グリッパは、プルワイヤの位置を乱すことなく、若しくはプルワイヤを遠位に移動させることなく係合隆起部を係合解除することができる。
【０００６】
一実施例では、インプラントを配置するためのシステムは、ハイポチューブ、プルワイヤ、プルワイヤ上に位置決めされた係合隆起部、係合隆起部を摺動可能に受容するように寸法決めされた溝、及び可動グリッパを備えることができる。プルワイヤは、ハイポチューブの管腔内に位置決めされてハイポチューブ管腔外に近位方向へと延伸してもよく、係合隆起部はプルワイヤの近位端の近くに位置決めされてもよい。グリッパは、近位方向及び遠位方向に移動可能であり得、その結果、グリッパは、近位方向に移動すると係合隆起部と係合し、遠位方向に移動すると係合隆起部と係合解除することができる。グリッパの近位方向への移動は、プルワイヤの係合隆起部のみを係合させることができ、プルワイヤの他の表面は係合させない。システムは、グリッパとプルワイヤの外周との間に維持される空間を更に備えることができる。
【０００７】
係合隆起部は、グリッパの近位方向への第１の移動の際に、溝の第１の長さにわたって近位方向に摺動することができ、係合隆起部は、グリッパの遠位方向への第２の移動の際に、溝に対して静止したままであることができ、係合隆起部は、グリッパの近位方向への第３の移動の際に、溝の第２の長さにわたって近位方向に摺動することができる。
【０００８】
システムは、軌道を更に備えることができ、それを通ってグリッパが移動可能である。軌道は、チャネルに平行に位置決めされた平行セグメントと、平行セグメントの遠位に位置決めされて、少なくとも横方向にチャネルから遠ざかるように延伸する延伸セグメントと、を有することができる。
【０００９】
グリッパは、グリッパが近位方向に移動すると、プルワイヤをハイポチューブの近位端から近位に延伸させることができ、プルワイヤは、グリッパが遠位方向に移動すると、ハイポチューブに対して静止したままであることができる。グリッパはまた、横方向に移動可能であってもよく、グリッパの近位方向への移動は、プルワイヤに近づく第１の横方向移動をもたらすことができ、グリッパの遠位方向への移動は、プルワイヤから後退する第２の横方向移動をもたらすことができる。システムは、グリッパに遠位方向のバネ力を加えるバネを更に備えることができる。
【００１０】
溝は、ハイポチューブの近位端に係合し、ハイポチューブが溝に対して近位移動するのを防止する遠位端を更に備えることができる。溝は、係合隆起部の横方向の移動を阻止するように寸法決めされ得る。
【００１１】
システムは、それぞれ遠位方向及び近位方向に移動可能な第１及び第２のグリッパを更に備えることができ、それぞれが近位方向に移動すると係合隆起部と係合し、遠位方向に移動すると係合隆起部と係合解除する。第１及び第２のグリッパは、近位方向及び遠位方向に同時移動するために接合され得る。
【００１２】
ハイポチューブからプルワイヤを後退させるための例示的な装置は、チャネル及び遠位面を有するレセプタクルと、係合面を有するレセプタクルに連結されたリトラクタと、を備えることができる。レセプタクルのチャネルはプルワイヤを摺動可能に受容することができ、レセプタクルの遠位面はハイポチューブの近位端と係合することができる。リトラクタは、チャネルに平行に近位方向及び遠位方向に移動可能であり得、係合面は、プルワイヤの延伸部分と係合するようにチャネルの近くに位置決めされ得る。リトラクタの近位移動は、ハイポチューブの近位端からプルワイヤを引き抜き、それによってプルワイヤをチャネル内に延伸させることができる。続くリトラクタの遠位移動は、プルワイヤがハイポチューブに対して静止したままであるように、プルワイヤの延伸部分を係合解除させることができる。
【００１３】
装置は、チャネルに平行に位置決めされた平行セグメントを有する軌道を更に備えることができる。リトラクタは、平行セグメントがリトラクタの横方向の移動を阻止するように、軌道に連結することができる。軌道は、チャネルから遠ざかるように延伸する平行セグメントの遠位に位置決めされた延伸セグメントを更に備えることができ、リトラクタは、軌道の延伸セグメントに沿って移動されるとき、少なくとも横方向に移動可能であり得る。
【００１４】
装置は、リトラクタに遠位方向のバネ力を加えるバネを更に備えることができる。
【００１５】
装置は、第１の軌道内で移動可能な第１のリトラクタと、第２の軌道内で移動可能な第２のリトラクタと、を更に備えることができる。第１及び第２の軌道は、チャネルの長さによって画定される軸を中心に互いの鏡像として形状決めされることができ、第１及び第２のリトラクタは、同時移動のために連結されることができる。
【００１６】
インプラント送達システムを操作する例示的な方法は、プルワイヤ及びハイポチューブを有する埋め込み装置を提供する工程と、プルワイヤ上のプルワイヤの近位端付近に係合隆起部を位置決めする工程と、チャネル及びグリッパを有する後退装置を提供する工程と、プルワイヤをチャネル内に位置決めする工程と、ハイポチューブの近位端を後退装置の遠位面と係合させる工程と、グリッパを移動させて係合隆起部と係合させる工程と、チャネルを通してグリッパ及び係合された係合隆起部を近位に引くことにより、プルワイヤをハイポチューブの近位端から近位に後退させる工程と、グリッパを遠位に移動させて係合隆起部と係合解除させる工程と、グリッパの遠位への移動に応答して、チャネルに対してプルワイヤの静止位置を維持する工程と、を含むことができる。
【００１７】
方法は、チャネルに平行に位置決めされた平行軌道セグメントを提供する工程と、グリッパを平行軌道セグメントに連結する工程と、平行軌道セグメントを通してグリッパをチャネルと平行に移動させる工程と、平行軌道セグメントの連結によってグリッパの横方向の移動を阻止する工程と、を更に含むことができる。後退装置は、上述のグリッパ及び第２のグリッパの２つのグリッパを有することができ、方法は、チャネルの両側にグリッパを位置決めする工程と、同時移動するためにグリッパを互いに連結する工程と、を更に含むことができる。
【図面の簡単な説明】
【００１８】
本発明の上記及び更なる態様は、
添付の図面と併せて以下の説明を参照して更に考察され、様々な図面において、同様の数字は、同様の構造要素及び特徴を示す。図面は、必ずしも縮尺どおりではなく、代わりに、本発明の原理を例示することに主眼が置かれている。図は、限定としてではなく単なる例示として、本発明の装置の１つ以上の実装形態を描写している。
【図１】本発明の例示的なシステムの図である。
【図２Ａ】本発明の例示的な装置の図である。
【図２Ｂ】軌道及びチャネルを描写する、図２Ａの例示的な装置の一部分の拡大図である。
【図３】ハイポチューブから延伸してチャネル内に位置決めされた係合隆起部を有するプルワイヤを描写する、本発明の例示的なシステムの一部分の拡大図である。
【図４】プルワイヤの係合隆起部に係合する一対のグリッパの近位移動を示す、本発明の例示的なシステムの図である。
【図５Ａ】プルワイヤ上の係合隆起部付近に位置決めされた一対のグリッパを描写する、本発明の例示的なシステムの一部分の拡大図である。
【図５Ｂ】係合隆起部に係合する一対のグリッパを描写する、図５Ａの例示的なシステムの一部分の拡大図である。
【図５Ｃ】図５Ｂの例示的なシステムの一部分の断面図である。
【図６】プルワイヤが完全に後退していることを描写する、本発明の例示的なシステムの図である。
【図７】プルワイヤの後退後にそれらの元の位置に戻された一対のグリッパを描写する、本発明の例示的なシステムの図である。
【図８Ａ】グリッパの近位方向の第１の移動、グリッパの遠位方向の第２の移動、及びグリッパの近位方向の第３の移動を（それぞれ）示す、本発明の例示的なシステムの図である。
【図８Ｂ】グリッパの近位方向の第１の移動、グリッパの遠位方向の第２の移動、及びグリッパの近位方向の第３の移動を（それぞれ）示す、本発明の例示的なシステムの図である。
【図８Ｃ】グリッパの近位方向の第１の移動、グリッパの遠位方向の第２の移動、及びグリッパの近位方向の第３の移動を（それぞれ）示す、本発明の例示的なシステムの図である。
【図９】本発明に従って実施することができる方法工程を概説するフローチャートである。
【図１０】本発明に従って実施することができる方法工程を概説するフローチャートである。
【図１１】本発明に従って実施することができる方法工程を概説するフローチャートである。
【発明を実施するための形態】
【００１９】
インプラント送達システムは、カテーテル又はハイポチューブから延伸するプルワイヤを備えることができ、プルワイヤは、プルワイヤの近位端に係合隆起部又は延伸部分を有している。プルワイヤは、後退装置の溝又はチャネル内に位置決めすることができ、ハイポチューブが溝を通って移動することが防止される間に、溝を通して制御可能に摺動させることができる。
【００２０】
後退装置は、Ｙ字形を共に形成する、溝の両側に配置された軌道を含むことができ、グリッパ又はリトラクタは、プルワイヤ溝に沿って軌道によって案内され得る。これらの初期位置では、グリッパは、Ｙ字軌道の幅広の遠位端上に位置決めすることができる。グリッパは、Ｙ字軌道を通して近位に並進させて、グリッパが、プルワイヤとは接触しないが係合隆起部と接触するまでプルワイヤに近づくように移動させることができる。グリッパは、プロセス内で、Ｙ字軌道の平行部分を通して更に近位に並進させて、係合隆起部（及び、その結果、プルワイヤ）を近位方向に引くことができる。
【００２１】
後退装置は、グリッパに取り付けられたバネを含むことができ、バネはグリッパを遠位方向に押すバネ力を提供することができ、グリッパは、摺動部による同時並進のために一体に接合され得る。摺動部が解放されると、グリッパは、軌道の幅広の遠位端上のこれらの初期位置まで遠位に移動することができる。グリッパの遠位移動は、プルワイヤを乱すことなく係合隆起部を係合解除することができる。グリッパが時期尚早に解放されるシナリオであっても、グリッパは、プルワイヤの遠位並進を引き起こすことなく遠位方向に移動することができる。
【００２２】
インプラントを配置するための例示的なシステム１００を図１に示す。システム１００は、ハイポチューブ３１０及びプルワイヤ３２０を有する埋め込み装置と、チャネル又は溝２２０及び１つ以上のグリッパ又はリトラクタ２４０を有するリトラクタ装置と、を含むことができる。プルワイヤ３２０は、ハイポチューブ３１０の管腔３１６から近位方向に延伸し得る。プルワイヤ３２０はチャネル２２０内に位置決めすることができ、ハイポチューブ３１０は、リトラクタ装置に当接する近位面３１２を有するように位置決めすることができ、ハイポチューブ３１０がチャネル２２０を通って近位方向に移動することを防止する。プルワイヤ３２０は、プルワイヤ３２０の近位端３２４上又はその付近に位置決めされた係合隆起部３２８を有することができ、係合隆起部３２８は、チャネル２２０を通って摺動するように寸法決めされ得る。図１は、バネ２５０によって遠位方向１４に押された、開始位置に位置決めされたグリッパ２４０を示す。図示のように、グリッパ２４０は軌道２６０内に位置決めされ得、バネ２５０が反対方向のバネ力を提供することにより、軌道２６０を通って近位方向１２に引かれ得る。軌道２６０は、グリッパ２４０が近位に引かれると、グリッパ２４０がプルワイヤ３２０に近づき、プルワイヤ３２０の係合隆起部３２８と係合するように、Ｙ字形を形成することができる。グリッパ２４０は、続いて、グリッパ２４０とプルワイヤ３２０との間の空間を維持しながら、チャネル２２０に対して平行に近位方向に引っ張られることができる。いったん解放されると、グリッパ２４０は、プルワイヤ３２０の位置決めを妨げることなく、係合隆起部３２８を係合解除し、開始位置に戻ることができる。
【００２３】
図２Ａは、例示的なリトラクタ装置２００を示す。リトラクタ装置は、埋め込み装置のプルワイヤ３２０を受容するためのレセプタクル２１０を有することができる。
【００２４】
図２Ｂは、軌道２６０及びチャネル２２０を描写する、図２Ａの例示的な装置の一部分の拡大図である。軌道２６０は、チャネル２２０に実質的に平行に移動する平行セグメント２６２と、チャネル２２０から離れるように少なくとも横方向２０に延伸する延伸セグメント２６４と、を有することができる。図示のように、延伸セクションはまた、Ｙ字形の半体を形成するように遠位に延伸し得る。図２Ａの装置は、Ｙ字形の２つの半体を形成するように中心軸２３２を中心にミラーリングされた、チャネル２２０の反対側に位置決めされた２つの軌道２６０を有することができる。
【００２５】
図３は、例示的なシステムの一部分の拡大図である。図示のように、プルワイヤ３２０は、ハイポチューブ管腔３１６から延伸して、チャネル２２０内に位置決めされ得る。チャネル２２０は、プルワイヤ３２０の近位端３２４で係合隆起部３２８を摺動可能に受容し、同時にハイポチューブ３１０が近位方向に移動するのを阻止するように寸法決めされた幅２２２を有することができる。ハイポチューブ３１０は、チャネル２２０よりも大きい寸法の外周３１８を有することができ、後退装置は、チャネル２２０の遠位端２２４付近に遠位面２３０を有することができ、その結果、プルワイヤ３２０がチャネル２２０内に位置決めされると、ハイポチューブ３１０の近位端３１２が後退装置の遠位面２３０に当接して、それによってチャネル２２０に対するハイポチューブ３１０の近位移動を防止することができる。
【００２６】
図４は、プルワイヤ３２０の係合隆起部３２８に係合するように位置決めされた一対のグリッパ２４０ａ、２４０ｂを示す図である。第１及び第２のグリッパは、軌道がＹ字形状を形成するように、第１及び第２の軌道２６０ａ、２６０ｂに沿って移動させることができる。各軌道は、チャネル２２０から離れるように延伸する延伸セグメント２６４と、チャネル２２０と平行に延伸する平行セグメント２６２と、を有し得る。図４では、グリッパ２４０ａ、２４０ｂは、延伸セグメント２６４と平行セグメント２６２との交点に位置決めされて示されている。この位置で、グリッパ２４０ａ、２４０ｂは係合隆起部３２８と係合することができ、グリッパ２４０ａ、２４０ｂの更なる近位移動は、チャネル２２０を通してプルワイヤ３２０を近位方向に移動させることができる。
【００２７】
図５Ａは、プルワイヤ３２０上の係合隆起部３２８の近くに位置決めされた一対のグリッパ２４０ａ、２４０ｂを示す拡大図である。各グリッパは、グリッパ２４０ａ、２４０ｂが近位方向１２に引っ張られると係合隆起部３２８と係合することができる係合面２４２を有し得る。示されるように、プルワイヤ３２０は、係合隆起部３２８よりも狭い外周３２６を有することができ、グリッパ２４０ａ、２４０ｂはプルワイヤ３２０に接近して、プルワイヤ３２０と接触することなく係合隆起部３２８と係合することができる。チャネル２２０は、幅２２２を有することができ、プルワイヤ３２０の外周３２６は、グリッパ２４０ａ、２４０ｂがチャネル２２０内に延伸して、プルワイヤ３２０と接触することなく係合隆起部３２８と係合することができるように寸法決めされ得る。
【００２８】
図５Ｂは、係合隆起部３２８と係合する一対のグリッパ２４０ａ、２４０ｂを示す拡大図である。グリッパ２４０ａ、２４０ｂは、図５Ａに対して近位方向１２に移動されている。グリッパ２４０ａ、２４０ｂとプルワイヤ外周３２６との間に空間２４４が維持され、その結果、グリッパ２４０ａ、２４０ｂは係合隆起部３２８のみと係合し、他の方法でプルワイヤ３２０と係合しない。
【００２９】
図５Ｃは図５Ｂに示されるシステムの断面図である。プルワイヤ３２０は、プルワイヤ３２０から円周方向に延伸する係合隆起部３２８と共に中央に位置して示され、チャネル２２０は係合隆起部３２８を部分的に取り囲むように示されている。グリッパ２４０ａ、２４０ｂは、各グリッパが、グリッパと係合隆起部３２８との重なり合いによって画定される係合面２４２を有するように、係合隆起部３２８と重なって示されている。グリッパ２４０ａ、２４０ｂがプルワイヤ３２０に接触しないようにグリッパ２４０ａ、２４０ｂとプルワイヤ３２０との間に配置された間隙２４４が示されている。
【００３０】
図６は、完全に後退したプルワイヤ３２０を示す図である。第１及び第２のグリッパは、第１及び第２の軌道２６０ａ、２６０ｂを通って近位方向に移動して、プルワイヤ３２０をハイポチューブ３１０から後退させることができる。図６は、これらの対応する軌道２６０ａ、２６０ｂの近位端にそれぞれ位置決めされたグリッパ２４０ａ、２４０ｂを示す。
【００３１】
図７は、プルワイヤ３２０の後退後にそれらの元の位置に戻された一対のグリッパ２４０ａ、２４０ｂを示す図である。グリッパ２４０ａ、２４０ｂが解放されると、バネ２５０は、プルワイヤ３２０が完全に後退したままで、各グリッパを各軌道２６０ａ、２６０ｂを通してこれらの元の位置に移動させることができる。
【００３２】
図８Ａ〜図８Ｃは、グリッパ２４０ａ、２４０ｂの一連の移動を示す図である。図８Ａは、各対応する軌道２６０ａ、２６０ｂの平行セグメント２６２に沿った、グリッパ２４０ａ、２４０ｂの近位方向１２への第１の移動を示す。グリッパ２４０ａ、２４０ｂは、係合隆起部３２８と係合して、プルワイヤ３２０をチャネル２２０の第１の長さ２２６を通して摺動させることができる。図８Ｂは、グリッパ２４０ａ、２４０ｂの遠位方向１４への第２の移動を示す。グリッパ２４０ａ、２４０ｂの遠位移動は、係合隆起部３２８を係合解除させることができ、プルワイヤ３２０は、図８Ａに示すように、部分的に後退した位置に留まることができる。図８Ｃは、グリッパ２４０ａ、２４０ｂの近位方向１２への第３の移動を示す。グリッパ２４０ａ、２４０ｂが図８Ａに示すように更に近位方向に移動されると、グリッパ２４０ａ、２４０ｂは係合隆起部３２８と係合して、プルワイヤ３２０をワイヤの第２の長さ２２８を通して近位方向に移動させることができる。
【００３３】
図９は、インプラント送達中に実行され得る方法工程を概説するフローチャート７００である。工程７１０では、プルワイヤ及びハイポチューブを有する埋め込み装置を提供することができる。工程７２０では、プルワイヤ上のプルワイヤの近位端に近接して係合隆起部を位置決めすることができる。工程７３０では、チャネル及びグリッパを有する後退装置を提供することができる。工程７４０では、プルワイヤをチャネル内に位置決めすることができる。工程７５０では、ハイポチューブの近位端は、後退装置の遠位面と係合することができる。工程７６０では、グリッパを移動させて係合隆起部に係合させることができる。工程７７０では、チャネルを通してグリッパ及び係合された係合隆起部を近位に引くことにより、プルワイヤをハイポチューブの近位端から近位に後退させることができる。工程７８０では、グリッパを遠位方向に移動させて、係合隆起部と係合解除させることができる。工程７９０では、グリッパが遠位方向に移動されると、プルワイヤはチャネルに対して静止位置に留まることができる。
【００３４】
図１０は、図９に概説される方法工程に加えて、又はその代わりに実行され得る方法工程を概説するフローチャート８００である。工程８３２では、平行軌道セグメントをチャネルと平行に位置決めすることができる。工程８３４では、グリッパを平行軌道セグメントと連結することができる。工程８７２では、グリッパを、平行軌道セグメントを通ってチャネルと平行に移動させることができる。工程８８０では、グリッパを平行軌道セグメントと連結することにより、グリッパの横方向の移動を阻止することができる。
【００３５】
図１１は、図９及び図１０に概説される方法工程に加えて、又はその代わりに実行され得る方法工程を概説するフローチャート９００である。工程９３０では、チャネルと一対のグリッパとを備える後退装置を提供することができる。工程９３３では、グリッパを、チャネルの両側で互いに反対側に位置決めすることができる。工程９３５では、グリッパを、同時移動のために互いに連結することができる。
【００３６】
本明細書に含まれる記述は、本発明の実施形態の例であり、本発明の範囲を何ら制限するものではない。本明細書に記載されるように、本発明は、ボール若しくはフック又は同様の機能を提供するその他の形状などの係合隆起部のための代替的構造、チャネルに対してグリッパを案内するための代替的手段、ハイポチューブを受容してその近位移動を防止するための代替的手段、溝内に配置されるときに係合隆起部がグリッパ空間を通って近位方向に通過することを可能にする代替的手段などを含む埋め込み配置システムの多くの変形及び修正を企図する。これらの修正は、本発明が関連する当技術分野の当業者に明らかとなり、また以下の特許請求項の範囲内であることが意図される。
【００３７】
〔実施の態様〕
（１）  インプラントを配置するためのシステムであって、
ハイポチューブであって、前記ハイポチューブを通る管腔、及び近位端を備える、ハイポチューブと、
前記管腔内に位置決めされ、前記ハイポチューブの前記近位端の近位を延伸するプルワイヤであって、近位端及び外周を備える、プルワイヤと、
前記プルワイヤ上で前記プルワイヤの前記近位端に近接して位置決めされ、前記プルワイヤの前記外周を越えて延伸する係合隆起部と、
前記係合隆起部を摺動可能に受容するように寸法決めされた溝と、
遠位方向及び近位方向に移動可能なグリッパであって、前記グリッパは前記近位方向に移動すると前記係合隆起部と係合し、前記遠位方向に移動すると前記係合隆起部と係合解除する、グリッパと、
を備える、システム。
（２）  前記グリッパの前記近位方向への移動は、前記係合隆起部のみを係合させる、実施態様１に記載のシステム。
（３）  前記グリッパと前記プルワイヤの前記外周との間に維持される空間を更に備える、実施態様１に記載のシステム。
（４）  前記係合隆起部は、前記グリッパの前記近位方向への第１の移動の際に、前記溝の第１の長さにわたって前記近位方向に摺動し、
前記係合隆起部は、前記グリッパの前記遠位方向への第２の移動の際に、前記溝に対して静止したままであり、
前記係合隆起部は、前記グリッパの前記近位方向への第３の移動の際に、前記溝の第２の長さにわたって前記近位方向に摺動する、
実施態様１に記載のシステム。
（５）  軌道を更に備え、それを通って前記グリッパが移動可能であり、前記軌道が、
前記チャネルに平行に位置決めされた平行セグメントと、
前記平行セグメントの遠位に位置決めされて、少なくとも横方向に前記チャネルから遠ざかるように延伸する延伸セグメントと、
を備える、実施態様１に記載のシステム。
【００３８】
（６）  前記グリッパは、前記グリッパが前記近位方向に移動すると、前記プルワイヤを前記ハイポチューブの前記近位端から近位に延伸させ、前記プルワイヤは、前記グリッパが前記遠位方向に移動すると、前記ハイポチューブに対して静止したままである、実施態様１に記載のシステム。
（７）  前記溝は、前記ハイポチューブの前記近位端に係合し、前記ハイポチューブが前記溝に対して近位移動するのを防止する遠位端を更に備える、実施態様１に記載のシステム。
（８）  前記溝は、前記係合隆起部の横方向の移動を阻止するように寸法決めされている、実施態様１に記載のシステム。
（９）  前記グリッパに前記遠位方向のバネ力を加えるバネを更に備える、実施態様１に記載のシステム。
（１０）  それぞれ前記遠位方向及び前記近位方向に移動可能な第１及び第２のグリッパを更に備え、それぞれが前記近位方向に移動すると前記係合隆起部と係合し、前記遠位方向に移動すると前記係合隆起部と係合解除する、実施態様１に記載のシステム。
【００３９】
（１１）  前記第１及び第２のグリッパは、前記近位方向及び前記遠位方向に同時移動するために接合されている、実施態様１０に記載のシステム。
（１２）  前記グリッパは横方向に移動可能であり、前記グリッパの前記近位方向への移動は、前記プルワイヤに近づく第１の横方向移動をもたらし、前記グリッパの前記遠位方向への移動は、前記プルワイヤから後退する第２の横方向移動をもたらす、実施態様１に記載のシステム。
（１３）  ハイポチューブからプルワイヤを後退させるための装置であって、
プルワイヤを摺動可能に受容するためのチャネルと、ハイポチューブの近位端と係合するための遠位面と、を備える、レセプタクルと、
前記プルワイヤの延伸部分と係合するように前記チャネルの近くに位置決めされる係合面を備える、前記チャネルに平行に近位方向及び遠位方向に移動可能な、前記レセプタクルに連結されたリトラクタと、を備え、
前記リトラクタの近位移動は、前記ハイポチューブの前記近位端から前記プルワイヤを引き抜いて、前記プルワイヤを前記チャネル内に延伸させ、続く前記リトラクタの遠位移動は、前記プルワイヤが前記ハイポチューブに対して静止したままであるように、前記プルワイヤの前記延伸部分を係合解除させる、
装置。
（１４）  前記チャネルに平行に位置決めされた平行セグメントを備える軌道を更に備え、前記リトラクタは前記軌道に連結され、前記平行セグメントは前記リトラクタの横方向の移動を阻止する、実施態様１３に記載の装置。
（１５）  前記軌道は、前記平行セグメントの遠位に位置決めされ、前記チャネルから遠ざかるように延伸する延伸セグメントを更に備え、
前記リトラクタは、前記軌道の前記延伸セグメント内で少なくとも横方向に移動可能である、
実施態様１４に記載の装置。
【００４０】
（１６）  第１の軌道内で移動可能な第１のリトラクタ及び第２の軌道内で移動可能な第２のリトラクタを更に備え、前記第１及び第２の軌道は、前記チャネルの長さによって画定される軸を中心に互いの鏡像として形状決めされ、前記第１及び第２のリトラクタは、同時移動のために連結されている、実施態様１５に記載の装置。
（１７）  前記リトラクタに前記遠位方向のバネ力を加えるバネを更に備える、実施態様１３に記載の装置。
（１８）  インプラント送達システムを操作する方法であって、
プルワイヤ及びハイポチューブを備える埋め込み装置を提供する工程と、
前記プルワイヤ上の前記プルワイヤの近位端付近に係合隆起部を位置決めする工程と、
チャネル及びグリッパを備える後退装置を提供する工程と、
前記プルワイヤを前記チャネル内に位置決めする工程と、
前記ハイポチューブの近位端を前記後退装置の遠位面と係合させる工程と、
前記グリッパを移動させて前記係合隆起部と係合させる工程と、
前記チャネルを通して前記グリッパ及び前記係合された係合隆起部を近位に引くことにより、前記プルワイヤを前記ハイポチューブの前記近位端から近位に後退させる工程と、
前記グリッパを遠位に移動させて前記係合隆起部と係合解除させる工程と、
前記グリッパの遠位への前記移動に応答して、前記チャネルに対して前記プルワイヤの静止位置を維持する工程と、
を含む、方法。
（１９）  前記チャネルに平行に位置決めされた平行軌道セグメントを提供する工程と、
前記グリッパを前記平行軌道セグメントに連結する工程と、
前記平行軌道セグメントを通して前記グリッパを前記チャネルと平行に移動させる工程と、
前記平行軌道セグメントの連結によって前記グリッパの横方向の移動を阻止する工程と、
を更に含む、実施態様１８に記載の方法。
（２０）  前記後退装置は前記グリッパ及び第２のグリッパを備え、前記方法は、前記チャネルの両側に前記グリッパを位置決めする工程と、同時移動するために前記グリッパを互いに連結する工程と、を更に含む、実施態様１８に記載の方法。
【図１】
2020022757.tif 000003
【図２Ａ】
2020022757.tif 000004
【図２Ｂ】
2020022757.tif 000005
【図３】
2020022757.tif 000006
【図４】
2020022757.tif 000007
【図５Ａ】
2020022757.tif 000008
【図５Ｂ】
2020022757.tif 000009
【図５Ｃ】
2020022757.tif 000010
【図６】
2020022757.tif 000011
【図７】
2020022757.tif 000012
【図８Ａ】
2020022757.tif 000013
【図８Ｂ】
2020022757.tif 000014
【図８Ｃ】
2020022757.tif 000015
【図９】
2020022757.tif 000016
【図１０】
2020022757.tif 000017
【図１１】
2020022757.tif 000018
【外国語明細書】
2020022757000001.pdf